(57)【要約】【課題】ＤＶＤよりもフォーマット効率が高く、多値データの記録再生に適したデータフォーマットにする。【解決手段】複数個のｎ（ｎ≧３である整数）値の多値データと、その多値データをサンプリングするための多値データであるクロックマークと、所定量の多値データの区切りを示すための多値データであるフレームシンクとを含む複数個の多値データを１フレームとし、多値データを２値データに変換した時に１フレーム内の有効２値データがＪ（Ｊは自然数）ワードであり、Ｋ（Ｋは自然数）フレーム分からなるＪ×Ｋワードの２値データを積符号による誤り訂正用のデータブロックであるＥＣＣブロックとするデータフォーマットを備えた記録媒体。【選択図】　　　図１
2004005949.tif 000002
【特許請求の範囲】
【請求項１】
複数個のｎ（ｎ≧３である整数）値の多値データと、該多値データをサンプリングするための多値データであるクロックマークと、所定量の多値データの区切りを示すための多値データであるフレームシンクとを含む複数個の多値データを１フレームとし、多値データを２値データに変換した時に、１フレーム内の有効２値データがＪ（Ｊは自然数）ワードであり、Ｋ（Ｋは自然数）フレーム分からなるＪ×Ｋワードの２値データを積符号による誤り訂正用のデータブロックであるＥＣＣブロックとするデータフォーマットを備えたことを特徴とする記録媒体。
【請求項２】
ｍ（ｍ≧２である整数）個のｎ（ｎ≧３である整数）値の多値データを１セットとし、その複数セットの多値データと、該多値データをサンプリングするための多値データであるクロックマークと、所定量の多値データの区切りを示すための多値データであるフレームシンクとを含む複数の多値データを１フレームとし、１セット内の多値データを２値データに変換した時に、１フレーム内の有効２値データがＪ（Ｊは自然数）ワードであり、Ｋ（Ｋは自然数）フレーム分からなるＪ×Ｋワードの２値データを積符号による誤り訂正用のデータブロックであるＥＣＣブロックとするデータフォーマットを備えたことを特徴とする記録媒体。
【請求項３】
前記ＥＣＣブロック内のパリティデータを除くデータを所定量毎に分割してセクタとし、その各セクタにセクタ番号を示すデータが含まれることを特徴とする請求項１又は２記載の記録媒体。
【請求項４】
前記フレーム内に既知の多値データを含むフレームと未知の多値データを含むフレームとを識別するための多値データを含み、前記既知の多値データを含むフレームを所定間隔で挿入したことを特徴とする請求項３記載の記録媒体。
【請求項５】
前記所定間隔が、複数のＥＣＣブロックの間隔又は１ＥＣＣブロックの間隔にしたことを特徴とする請求項４記載の記録媒体。
【請求項６】
前記ＥＣＣブロック内の１ワードのデータを８ビットにしたことを特徴とする請求項１又は２記載の記録媒体。
【請求項７】
前記ＥＣＣブロック内の１ワードのデータビット数を１セット内の有効データビット数と同一にしたことを特徴とする請求項２記載の記録媒体。
【請求項８】
前記フレーム内のＪワードのデータが全てパリティデータであるフレームを１ＥＣＣブロック内で分散して配置したことを特徴とする請求項１又は２記載の記録媒体。
【請求項９】
前記既知の多値データを含むフレームと前記１ＥＣＣブロックとを情報の追記又は書換えの１単位にしたことを特徴とする請求項４記載の記録媒体。
【請求項１０】
ｍ（ｍ≧２である整数）個のｎ（ｎ≧３である整数）値の多値データを１セットとし、複数セットの多値データと前記多値データをサンプリングするための多値データであるクロックマークデータと、所定量の多値データの区切りを示すための多値データであるフレームシンクデータとを含む複数の多値データを１フレームとし、１セット内の多値データを２値データに変換した時に１フレーム内の有効２値データがＪ（Ｊは自然数）ワードであり、Ｋ（Ｋは自然数）フレーム分からなるＪ×Ｋワードの２値データを、前記Ｊワードからなる内符号と前記Ｋワードからなる外符号からなる積符号による誤り訂正用のデータブロックであるＥＣＣブロックとするデータフォーマットを備えたことを特徴とする記録媒体。
【請求項１１】
１ＥＣＣブロック内のパリティデータを除くデータを所定量毎に分割してセクタとし、その各セクタにセクタ番号を示すデータが含まれることを特徴とする請求項１０記載の記録媒体。
【請求項１２】
既知の多値データを含むフレームと未知の多値データを含むフレームとを識別するための多値データをフレーム内に含み、前記既知の多値データを含むフレームを所定間隔で挿入したことを特徴とする請求項１０記載の記録媒体。
【請求項１３】
前記所定間隔を、複数のＥＣＣブロックの間隔にしたことを特徴とする請求項１２記載の記録媒体。
【請求項１４】
前記所定間隔を、１ＥＣＣブロックの間隔にしたことを特徴とする請求項１２記載の記録媒体。
【請求項１５】
前記ＥＣＣブロック内の１ワードのデータビット数を１セット内の有効データビット数と同一にしたことを特徴とする請求項１０記載の記録媒体。
【請求項１６】
前記ＥＣＣブロック内の１ワードのデータビット数を１１ビットにしたことを特徴とする請求項１５記載の記録媒体。
【請求項１７】
前記フレーム内のＪワードのデータが全てパリティデータであるフレームを１ＥＣＣブロック内で分散して配置したことを特徴とする請求項１０記載の記録媒体。
【請求項１８】
前記既知の多値データを含むフレームと前記１ＥＣＣブロックとを情報の追記又は書換えの１単位にしたことを特徴とする請求項１４記載の記録媒体。
【請求項１９】
前記１ＥＣＣブロック内のセクタのデータを外符号の方向に記録したことを特徴とする請求項１１記載の記録媒体。
【請求項２０】
前記１ＥＣＣブロック内の内符号データを斜めの方向にインターリーブして配置したことを特徴とする請求項１１記載の記録媒体。
【請求項２１】
前記セクタ番号を外符号の方向に記録したことを特徴とする請求項１１記載の記録媒体。
【請求項２２】
前記セクタ番号をセクタ毎の異なる位置に記録したことを特徴とする請求項２１記載の記録媒体。
【発明の詳細な説明】
【０００１】
【発明の属する技術分野】
この発明は、多値データを記録再生する際のデータ構成であるデータフォーマットを備えた光ディスク等の記録媒体に関する。
【０００２】
【従来の技術】
従来、次のようなデータフォーマットを備えた記録媒体が提案されている。
光ディスク「ＤＶＤ」のデータフォーマットであり、８ビットデータを１６ビットデータに変換する８／１６変調を行ってデータを記録した光ディスク。その誤り訂正のためのＥＣＣ（Ｅｒｒｏｒ　Ｃｏｒｒｅｃｔｉｏｎ　Ｃｏｄｅ）ブロックフォーマットでは、１セクタに２０４８バイトのユーザデータを含み、１６セクタで１ＥＣＣブロックを構成している。また、誤り訂正には積符号を採用し、１８２バイトを１行として２０８行からなる１８２×２０８バイトのデータを１ＥＣＣブロックとしている。その行方向にリードソロモン符号（Ｒｅｅｄ−Ｓｏｌｏｍｏｎ　ｃｏｄｅ）ＲＳ（１８２，１７２，１１）による１０バイトのＰＩ（Ｐａｒｉｔｙ　ｏｆ　Ｉｎｎｅｒ　ｃｏｄｅ）パリティデータがあり、一方の列方向にはＲＳ（２０８，１９２，１７）による１６バイトのＰＯ（Ｐａｒｉｔｙ　ｏｆ　Ｏｕｔｅｒ　ｃｏｄｅ）パリティデータがある。（例えば、「ＤＶＤ物理フォーマットの概要」ＰＩＯＮＥＥＲ　Ｒ＆Ｄ　１９９６　Ｖｏｌ．６　Ｎｏ．２（通巻１３号）　特集『ＤＶＤ』Ｐ．７−Ｐ．１４，「８／１６変調方式」同Ｐ．３２−Ｐ．３６を参照）
【０００３】
【発明が解決しようとする課題】
しかしながら、上述のようなフォーマットの記録媒体では、以下に示すようにフォーマット効率（記録する全データ量に対するユーザーデータ量の比）が低いという問題があった。
（１）　８／１６変調方式のフォーマット効率＝０．５×（１４５６ビット／１４８８ビット）＝０．４８９
（２）　ＥＣＣブロックのフォーマット効率＝２０４８バイト×１６セクター／１８２バイト×２０８行＝０．８６６
（３）　全体のフォーマット効率＝８／１６変調方式のフォーマット効率×ＥＣＣブロックのフォーマット効率＝０．４２３
【０００４】
特に、多値データを含むデータフォーマットでは、従来技術のＤＶＤ等のような全てが２値データで構成されたデータフォーマットとは異なり、多値データを２値データに変換する新たな工程が発生する。その変換工程において、データの無駄が発生しないようにデータフォーマットを考案する必要がある。
また、ユーザデータは通常８ビットで構成されるのに対し、多値記録を行なう単位が８ビットでないため、８ビット単位でフォーマットを構成すると媒体上の誤りが変換の関係で２ワード誤りになる等の効率の低下を招いていた。
この発明は上記の課題を解決するためになされたものであり、多値データの記録再生に適した、ＤＶＤよりもフォーマット効率の高いデータフォーマットを備えた記録媒体を提供することを目的とする。
【０００５】
【課題を解決するための手段】
この発明は上記の目的を達成するため、次の（１）〜（９）の各記録媒体を提供するものである。
（１）　複数個のｎ（ｎ≧３である整数）値の多値データと、その多値データをサンプリングするための多値データであるクロックマークと、所定量の多値データの区切りを示すための多値データであるフレームシンクとを含む複数個の多値データを１フレームとし、多値データを２値データに変換した時に、１フレーム内の有効２値データがＪ（Ｊは自然数）ワードであり、Ｋ（Ｋは自然数）フレーム分からなるＪ×Ｋワードの２値データを積符号による誤り訂正用のデータブロックであるＥＣＣブロックとするデータフォーマットを備えた記録媒体。
【０００６】
（２）　ｍ（ｍ≧２である整数）個のｎ（ｎ≧３である整数）値の多値データを１セットとし、その複数セットの多値データと、その多値データをサンプリングするための多値データであるクロックマークと、所定量の多値データの区切りを示すための多値データであるフレームシンクとを含む複数の多値データを１フレームとし、１セット内の多値データを２値データに変換した時に、１フレーム内の有効２値データがＪ（Ｊは自然数）ワードであり、Ｋ（Ｋは自然数）フレーム分からなるＪ×Ｋワードの２値データを積符号による誤り訂正用のデータブロックであるＥＣＣブロックとするデータフォーマットを備えた記録媒体。
【０００７】
（３）　上記（１）又は（２）の記録媒体において、上記ＥＣＣブロック内のパリティデータを除くデータを所定量毎に分割してセクタとし、その各セクタにセクタ番号を示すデータが含まれる記録媒体。
（４）　上記（３）の記録媒体において、上記フレーム内に既知の多値データを含むフレームと未知の多値データを含むフレームとを識別するための多値データを含み、上記既知の多値データを含むフレームを所定間隔で挿入した記録媒体。（５）　上記（４）の記録媒体において、上記所定間隔が、複数のＥＣＣブロックの間隔又は１ＥＣＣブロックの間隔にした記録媒体。
【０００８】
（６）　上記（１）又は（２）の記録媒体において、上記ＥＣＣブロック内の１ワードのデータを８ビットにした記録媒体。
（７）　上記（２）の記録媒体において、上記ＥＣＣブロック内の１ワードのデータビット数を１セット内の有効データビット数と同一にした記録媒体。
（８）　上記（１）又は（２）の記録媒体において、上記フレーム内のＪワードのデータが全てパリティデータであるフレームを１ＥＣＣブロック内で分散して配置した記録媒体。
（９）　上記（４）の記録媒体において、上記既知の多値データを含むフレームと上記１ＥＣＣブロックとを情報の追記又は書換えの１単位にした記録媒体。
【０００９】
また、次の（１０）〜（２２）の各記録媒体も提供する。
（１０）　ｍ（ｍ≧２である整数）個のｎ（ｎ≧３である整数）値の多値データを１セットとし、複数セットの多値データと上記多値データをサンプリングするための多値データであるクロックマークデータと、所定量の多値データの区切りを示すための多値データであるフレームシンクデータとを含む複数の多値データを１フレームとし、１セット内の多値データを２値データに変換した時に１フレーム内の有効２値データがＪ（Ｊは自然数）ワードであり、Ｋ（Ｋは自然数）フレーム分からなるＪ×Ｋワードの２値データを、上記Ｊワードからなる内符号と上記Ｋワードからなる外符号からなる積符号による誤り訂正用のデータブロックであるＥＣＣブロックとするデータフォーマットを備えた記録媒体。
【００１０】
（１１）　上記（１０）の記録媒体において、１ＥＣＣブロック内のパリティデータを除くデータを所定量毎に分割してセクタとし、その各セクタにセクタ番号を示すデータが含まれる記録媒体。
（１２）　上記（１０）の記録媒体において、既知の多値データを含むフレームと未知の多値データを含むフレームとを識別するための多値データをフレーム内に含み、上記既知の多値データを含むフレームを所定間隔で挿入した記録媒体。（１３）　上記（１２）の記録媒体において、上記所定間隔を、複数のＥＣＣブロックの間隔にした記録媒体。
（１４）　上記（１２）の記録媒体において、上記所定間隔を、１ＥＣＣブロックの間隔にした記録媒体。
【００１１】
（１５）　上記（１０）の記録媒体において、上記ＥＣＣブロック内の１ワードのデータビット数を１セット内の有効データビット数と同一にした記録媒体。
（１６）　上記（１５）の記録媒体において、上記ＥＣＣブロック内の１ワードのデータビット数を１１ビットにした記録媒体。
（１７）　上記（１０）の記録媒体において、上記フレーム内のＪワードのデータが全てパリティデータであるフレームを１ＥＣＣブロック内で分散して配置した記録媒体。
（１８）　上記（１４）の記録媒体において、上記既知の多値データを含むフレームと上記１ＥＣＣブロックとを情報の追記又は書換えの１単位にした記録媒体。
【００１２】
（１９）　上記（１１）の記録媒体において、上記１ＥＣＣブロック内のセクタのデータを外符号の方向に記録した記録媒体。
（２０）　上記（１１）の記録媒体において、上記１ＥＣＣブロック内の内符号データを斜めの方向にインターリーブして配置した記録媒体。
（２１）　上記（１１）の記録媒体において、上記セクタ番号を外符号の方向に記録した記録媒体。
（２２）　上記（２１）の記録媒体において、上記セクタ番号をセクタ毎の異なる位置に記録した記録媒体。
【００１３】
【発明の実施の形態】
以下、この発明の実施形態を図面に基づいて具体的に説明する。
従来の技術で説明したＤＶＤディスクのデータフォーマットは、８／１６変調によるデータフォーマット（ＰＩＯＮＥＥＲ　Ｒ＆Ｄ　１９９６　Ｖｏｌ．６　Ｎｏ．２（通巻１３号）　特集『ＤＶＤ』Ｐ．１３の図７）と、ＥＣＣブロック（同、図４）に分かれており、従来のＤＶＤディスクのフォーマットとこの発明の実施形態の記録媒体のフォーマットの違いが明確になるように、この実施形態でも多値データから構成されるデータフォーマットと、誤り訂正のためのデータフォーマットに分けて説明する。ここでは、前者をフレームフォーマット、後者をＥＣＣブロックフォーマットと称することにする。
【００１４】
まず、この発明の請求項１に係る記録媒体の第１実施形態を説明する。
第１実施形態の記録媒体は、複数個のｎ（ｎ≧３である整数）値の多値データと、その多値データをサンプリングするための多値データであるクロックマークと、所定量の多値データの区切りを示すための多値データであるフレームシンクとを含む複数個の多値データを１フレームとし、多値データを２値データに変換した時に、１フレーム内の有効２値データがＪ（Ｊは自然数）ワードであり、Ｋ（Ｋは自然数）フレーム分からなるＪ×Ｋワードの２値データを積符号による誤り訂正用のデータブロックであるＥＣＣブロックとするデータフォーマットを備えている。
【００１５】
図１は、この発明の第１実施形態の記録媒体のデータフォーマットにおけるフレームフォーマットを示す説明図である。
ここでは、多値データを８値とし、１個の多値データをシンボルと称する。２値データに変換すると１シンボルは３ビットに相当する。同図中のクロックマーク及びフレームシンクのデータパターンの一例を以下に示す。
2004005949.tif 000003
【００１６】
図２は、この発明の第１実施形態の記録媒体のクロックマーク及びフレームシンクのデータを光ディスクに記録して再生した場合の再生信号の波形を示す図である。
クロックマークは多値データをサンプリングする時の基準点を示すデータであり、同図に示すように、クロックマークの中央の「７」の信号のボトムが基準になる。図示を省略するが、この記録媒体に対する情報の記録及び再生を行う情報記録再生装置のＰＬＬ回路で周期的に存在するクロックマークのボトムに同期したクロックを生成して、クロックマークの間にある多値データをサンプリングする。あるいは、再生信号をＡ／Ｄ（アナログ／デジタル）変換し、デジタル信号処理によって連続する２個のクロックマークのボトムを検出し、その間にある多値データを等間隔でサンプリングしてもよい。ここでは、クロックマークから始まる４０シンボルの一区切りのデータをクラスタと称する。
【００１７】
フレームシンクの最後の２シンボルデータで、フレーム内のデータが多値データ検出用のテーブルデータかユーザデータかを識別する。その各々を「テーブルフレーム」「データフレーム」と称する。
多値データ検出用のテーブルデータは、情報記録媒体に連続する複数個（３個）の多値データの全組合せのテストデータを記録しておき、多値データ再生時に、テストデータの再生信号値を記憶したテーブルを作成し、再生した多値データの信号値とテーブル上の信号値との誤差が最小になる多値データを再生多値データとして出力する「多値記録データ検出方法」で使用するテーブルである。
そのテーブルデータは、連続する複数個（３個）の多値データの全組合せのテストデータを規則的なデータの並びにせずに、乱数を用いて全組み合わせを１回のみ含む最小データ数のデータ系列を生成することによって生成する。ここでは５１４シンボルの８値データをテーブルデータとして使用する。
【００１８】
以下にフレーム内のデータ量およびフレームフォーマットのフォーマット効率を示す。
〔データ量〕
（１）テーブルフレーム
１９シンボル＋（３５−２）シンボル×１５クラスタ＝５１４シンボル
テーブルデータは、８値データが３個連続する時の全組合せ（８×８×８＝５１２通り）を１回のみ含むランダムなデータ系列であるが、途中にクロックマークが挿入されて分断されると、分断後は２シンボル重複する必要がある。
したがって、テーブルデータ量の計算としては、２〜１６クラスタではデータ数を２シンボル減らしている。
【００１９】
（２）データフレーム
１９シンボル＋３５シンボル×１５クラスタ＝５４４シンボル
１フレーム内の有効データは５４４シンボルであり、ビット数では５４４シンボル×３ビット＝１６３２ビットであり、バイト数では１６３２ビット／８ビット＝２０４バイトである。
〔フォーマット効率〕
有効データ／全データ＝（５４４シンボル×３ビット）／（４０シンボル×１６クラスタ×３ビット）＝１６３２ビット／１９２０ビット＝０．８５
【００２０】
次に、第１実施形態の記録媒体のＥＣＣブロックフォーマットについて説明する。図３は、第１実施形態の記録媒体のＥＣＣブロックフォーマットを示す説明図である。
同図に示すように、１フレーム内の２０４バイトの２値データを横１行に配置し、１９２フレーム分を１ＥＣＣブロックとしている。１１フレームを１セクタとし、１６セクタで１ＥＣＣブロックを構成している。行方向にＲＳ（２０４，１９４，１１）による１０バイトのＰＩパリティデータがあり、列方向にはＲＳ（１９２，１７６，１７）による１６バイトのＰＯパリティデータがある。
以下にセクタ及びＥＣＣブロックのデータ量及びＥＣＣブロックフォーマットのフォーマット効率を示す。
【００２１】
〔データ量〕
（１）セクタ
▲１▼全データ　　　２０４バイト×１１フレーム＝２２４４バイト
▲２▼ユーザデータ　２０４８バイト
▲３▼付加データ　　８６バイト
上記付加データは、１セクタ内の２０４８バイトのユーザデータ以外のデータであり、セクタ番号や著作権を管理するための情報及びセクタ内データのエラー検査用データ等である。
（２）ＥＣＣブロック
▲１▼全データ　　　２０４バイト×１９２フレーム＝３９１６８バイト
▲２▼ユーザデータ　２０４８バイト×１６セクタ＝３２７６８バイト
【００２２】
〔フォーマット効率〕
ユーザデータ／全データ＝３２７６８バイト／３９１６８バイト×１９２／１９３＝０．８３２
ここでは、１ＥＣＣブロック毎にテーブルフレームを１フレーム挿入する場合のフォーマット効率を示した。全体のフォーマット効率は、フレームフォーマットのフォーマット効率とＥＣＣブロックフォーマットのフォーマット効率との積であり、以下の値になる。
０．８５×０．８３２＝０．７０７
【００２３】
このように、第１実施形態の記録媒体ではフォーマット効率が０．７０７であり、ＤＶＤのフォーマット効率より高くなる。
この発明の請求項１に係る記録媒体では、多値データによるフレームフォーマットになっているのでフォーマット効率が高く、フレーム内の有効２値データのデータ数が誤り訂正時の１行分のワード数と一致しているので、多値データから２値データへの変換工程で、データの無駄の無い効率の高いデータフォーマットにすることができる。
【００２４】
次に、この発明の請求項２に係る記録媒体の第２実施形態を説明する。
第２実施形態の記録媒体は、ｍ（ｍ≧２である整数）個のｎ（ｎ≧３である整数）値の多値データを１セットとし、その複数セットの多値データと、その多値データをサンプリングするための多値データであるクロックマークと、所定量の多値データの区切りを示すための多値データであるフレームシンクとを含む複数の多値データを１フレームとし、１セット内の多値データを２値データに変換した時に、１フレーム内の有効２値データがＪ（Ｊは自然数）ワードであり、Ｋ（Ｋは自然数）フレーム分からなるＪ×Ｋワードの２値データを積符号による誤り訂正用のデータブロックであるＥＣＣブロックとするデータフォーマットを備えている。
【００２５】
このフォーマットを備えた記録媒体は、次のようなデータ処理方法で２値データを多値データに変換するときに適している。
２値データを多値データに変換する方法。複数個の多値データを１セットとして扱い、各多値データの上位ビットには２値データをそのまま配置し、下位１ビットに所定の変換ルールによるデータを配置する。多値データの再生時には、下位１ビットが誤りやすいため、所定の変換ルールに従ったデータである事を利用して、多値データを判定する。所定の変換ルールにより、１ビットの冗長データが発生するが、多値データの判定精度は向上する。
【００２６】
２値データを多値データに変換する具体的な方法を以下に記す。
ｎ（ｎ≧２）ビット／シンボルの多値データを記録／送信する時に、ｍ（ｍ≧２）シンボルを１セットとして、各シンボルの上位（ｎ−１）ビット×ｍシンボル＝｛（ｎ−１）×ｍ｝ビットに任意の２値データを配置し、下位１ビット×ｍシンボル＝ｍビットに、（ｍ−１）ビットをｍビットに変換（所定の変換ルール）した２値データを配置する。
【００２７】
第２実施形態の記録媒体のデータフォーマットについて説明する。
ここでの２値データを多値データに変換する方法は１例として以下のように行うものとする。
３ビット／シンボルの多値（８値）データを４シンボル配置して１セットとし、各シンボルの上位２ビット×４シンボル＝８ビットに任意の２値データを配置し、下位１ビット×４シンボル＝４ビットに、任意の２値データ３ビットを４ビットに変換した２値データを配置する。つまり、１１ビットの任意の２値データが、１２ビットに変換されて１セットを構成する。
【００２８】
第２実施形態の記録媒体のフレームフォーマットは基本的に第１実施形態の記録媒体のフレームフォーマットと同じである。したがって、テーブルフレームとデータフレームのデータ量は同じである。しかし、４シンボルを１セットとし、１セット内の有効データは１１ビットであることから、フォーマット効率が変化する。
【００２９】
以下に、その計算式を示す。
〔データフレームのデータ量〕
１９シンボル＋３５シンボル×１５クラスタ＝５４４シンボル＝１３６セット×４シンボル
１３６セット×１１ビット＝１４９６ビット＝１８７バイト
〔フォーマット効率〕
有効データ／全データ＝１４９６ビット／１９２０ビット＝０．７７９
【００３０】
図４は、第２実施形態の記録媒体のＥＣＣブロックフォーマットを示す説明図である。以下にセクタ及びＥＣＣブロックのデータ量及びＥＣＣブロックフォーマットのフォーマット効率を示す。
〔データ量〕
（１）セクタ
▲１▼全データ　　　１８７バイト×１２フレーム＝２２４４バイト
▲２▼ユーザデータ　２０４８バイト
▲３▼付加データ　　２８バイト
（２）ＥＣＣブロック
▲１▼全データ　　　１８７バイト×２０８フレーム＝３８８９６バイト
▲２▼ユーザデータ　２０４８バイト×１６セクタ＝３２７６８バイト
【００３１】
〔フォーマット効率〕
ユーザデータ／全データ＝３２７６８バイト／３８８９６バイト＝０．８４２
全体のフォーマット効率は、以下の値になる。
０．７７９×０．８４２＝０．６５６
このように、第２実施形態の記録媒体ではフォーマット効率が０．６５６であり、ＤＶＤのフォーマット効率より高くなる。
この発明の請求項２に係る記録媒体では、多値データによるフレームフォーマットになっているのでフォーマット効率が高く、更にフレーム内のデータ量がセット単位になっているので、セット単位で冗長データを付加した変換処理にも対応できる。
【００３２】
また、この発明の請求項３に係る記録媒体のフォーマットのように、上記第１実施形態と第２実施形態の記録媒体において、ＥＣＣブロック内のパリティデータを除くデータを所定量毎に分割してセクタとし、その各セクタにセクタ番号を示すデータが含まれるようにするとよい。
このように、セクタ内にユーザデータ以外に付加データとしてセクタ番号を入れれば、データ再生時にはセクタ番号によって１６セクタ単位のＥＣＣブロックを検出することができる。
この発明の請求項３に係る記録媒体では、上記ＥＣＣブロック内の各セクタにセクタ番号の情報が入っているので、ＥＣＣブロックの検出が容易にできる。
【００３３】
さらに、上記第２実施形態ではテーブルフレームを挿入する必要はないが、データ再生時に波形等化を行う場合の自動等化用の既知データとして、上記第１実施形態のテーブルフレームを挿入しても良い。
すなわち、この発明の請求項４に係る記録媒体のフォーマットのように、上記フレーム内に既知の多値データを含むフレームと未知の多値データを含むフレームとを識別するための多値データを含み、上記既知の多値データを含むフレームを所定間隔で挿入するとよい。
この発明の請求項４に係る記録媒体では、上記所定の間隔でテーブルフレームが挿入されているので、定期的な信号校正が行え、データ再生の信頼性が向上する。
【００３４】
このようにすれば、情報記録媒体に連続する複数個（３個）の多値データの全組合せのテストデータを記録しておき、その多値データ再生時にテストデータの再生信号値を記憶したテーブルを作成し、再生した多値データの信号値とテーブル上の信号値との誤差が最小になる多値データを再生多値データとして出力する多値記録データ検出方法と、複数個の多値データを１セットとして扱い、各多値データの上位ビットには２値データをそのまま配置し、下位１ビットに所定の変換ルールによるデータを配置する。多値データの再生時には、下位１ビットが誤りやすいため、所定の変換ルールに従ったデータである事を利用して、多値データを判定するデータ処理方法とを組合せて実施することも可能である。
【００３５】
例えば、光ディスクに多値データを記録した時に、記録材料のばらつき等により、ディスク上の再生位置で再生信号が変動することがある。既知データが記録してあるテーブルフレームのデータは、その変動を校正するための基準データとして使用できる。
このように、データ再生時の定期的な信号校正を行うために、テーブルフレームをディスク上の内周，中周，外周或いは数トラック毎又は１トラック毎等の所定の間隔で挿入すると再生データの信頼性が向上する。
【００３６】
次に、この発明の請求項５に係る記録媒体のフォーマットのように、上記所定間隔を複数のＥＣＣブロックの間隔又は１ＥＣＣブロックの間隔にするとよい。まず、複数のＥＣＣブロック単位で挿入すれば、校正の頻度が上がり、更に信頼性が向上する。また、ＥＣＣブロック検出時にセクタ番号による検出と並行して、テーブルフレームによるＥＣＣブロックの区切りを２重に確認でき、ＥＣＣブロックの誤検出による再生データのエラーを低減できる。
さらに、上記第１実施形態の記録媒体では、１ＥＣＣブロック毎にテーブルフレームを挿入しているので、更に校正の頻度が上がり、テーブルフレームによる１ＥＣＣブロックの検出もできるので、１ＥＣＣブロック単位の区切りを２重に確認でき、更にＥＣＣブロックの誤検出による再生データのエラーを低減できる。
【００３７】
この発明の請求項５に係る記録媒体では、上記複数のＥＣＣブロック毎にテーブルフレームを挿入すれば、信号校正の頻度が増え、更にＥＣＣブロック検出確認も行え、データ再生の信頼性が向上する。
または、１ＥＣＣブロック毎にテーブルフレームを挿入すれば、信号校正の頻度が更に増え、１ＥＣＣブロック検出確認も行え、データ再生の信頼性が向上する。
【００３８】
次に、この発明の請求項６に係る記録媒体のフォーマットのように、上記ＥＣＣブロック内の１ワードのデータを８ビットにするとよい。
上記第１実施形態と第２実施形態の記録媒体では、１フレーム内の有効データがバイト（８ビット）単位のデータ数になっているので、リードソロモン符号演算が従来のＤＶＤディスクと同様に行える。したがって、上記ＥＣＣブロック内の１ワードのデータが８ビットであるので、例えば光ディスクドライブとしてＤＶＤディスクとこの実施形態の記録媒体による多値記録光ディスクとの両方を使用できるようにする時に回路の共有化が行えて有利である。
【００３９】
次に、この発明の請求項７に係る記録媒体の第３実施形態を説明する。
第３実施形態の記録媒体のフォーマットは、上記第２実施形態の記録媒体において、上記ＥＣＣブロック内の１ワードのデータビット数を１セット内の有効データビット数と同一にしたものである。
次に、１フレーム内の有効データがバイト単位のデータ数になっていないデータフォーマットを説明する。これは、上記第２実施形態の記録媒体と同様に１セットの有効データビット数が１１ビットである場合のデータフォーマットである。図５は第３実施形態の記録媒体のフレームフォーマットを、図６は第３実施形態の記録媒体のＥＣＣブロックフォーマットをそれぞれ示す説明図である。
【００４０】
図５のクロックマーク及びフレームシンクのデータパターンを以下に示す。
2004005949.tif 000004
以下にフレーム内のデータ量及びフレームフォーマットのフォーマット効率を示す。
【００４１】
〔データ量〕
（１）テーブルフレーム
１２１シンボル＋（１３３−２）シンボル×３クラスタ＝５１４シンボル
（２）データフレーム
１２１シンボル＋１３３シンボル×３クラスタ＝５２０シンボル＝１３０セット
１３０セット×１１ビット＝１４３０ビット（＝１７８．７５バイト）
〔フォーマット効率〕
有効データ／全データ＝１４３０ビット／１６５６ビット（＝１３８シンボル×４クラスタ×３ビット）＝０．８６４
以下にセクタ及びＥＣＣブロックのデータ量及びＥＣＣブロックフォーマットのフォーマット効率を示す。
【００４２】
〔データ量〕
（１）セクタ
▲１▼セクタデータ　１６５バイト×１３フレーム＝２１４５バイト
▲２▼ユーザデータ　２０４８バイト
▲３▼付加データ　　９７バイト
（２）ＥＣＣブロック
▲１▼全データ　　　１３０ワード×２２４フレーム×１１ビット＝３２０３２０ビット
▲２▼ユーザデータ　２０４８バイト×１６セクター＝３２７６８バイト＝２６２１４４ビット
【００４３】
〔フォーマット効率〕
ユーザデータ／全データ＝２６２１４４ビット／３２０３２０ビット×２２４／２２５＝０．８１４
ここでも、１ＥＣＣブロック毎にテーブルフレームを１フレーム挿入する場合のフォーマット効率を示した。
このように、第３実施形態の記録媒体でもＤＶＤよりフォーマット効率を高くすることができる。
【００４４】
つまり、１セット内の有効データビット数（１１ビット）をリードソロモン演算時の１ワードのビット数と同じにすると、フレームデータから２値データを抽出し、ＥＣＣブロック用のデータに変換する時に、セット単位で１ワードのデータを出力できるので、変換回路を簡素化できる。さらに、１セット内の有効データビット数を誤り訂正の１ワードとしているので、媒体上のランダム誤りが変換の関係で２ワード誤りになる事が無く、効率の良いフォーマットになる。
【００４５】
次に、上記第１〜３実施形態の記録媒体におけるＥＣＣブロックフォーマットでは、ＰＯパリティを含むフレームがＥＣＣブロックの下方に集中しているが、実際に光ディスクなどに記録する時は、これを分散して配置してもよい。
すなわち、この発明の請求項８に係る記録媒体のフォーマットのように、上記フレーム内のＪワードのデータが全てパリティデータであるフレームを１ＥＣＣブロック内で分散して配置するとよい。
こうして、記録媒体上の傷や汚れによるデータエラーが分散され、再生データの信頼性が向上する。
この発明の請求項８に係る記録媒体では、上記１フレーム内のＰＯパリティデータを含むフレームを１ＥＣＣブロック内で分散して配置しているので、記録面上の傷や汚れによるデータエラーが分散されて再生データの信頼性が向上する。
【００４６】
また、この発明の請求項９に係る記録媒体のフォーマットのように、上記既知の多値データを含むフレームと上記１ＥＣＣブロックとを情報の追記又は書換えの１単位にするとよい。
つまり、１ＥＣＣブロック毎にテーブルフレームを挿入した場合、１ＥＣＣブロックとテーブルフレームとをデータの追記や書換えの情報の１単位とすると良い。
このように、例えば１枚のディスクに複数台の光ディスク装置で、１ＥＣＣブロック単位でデータを記録した時に、テーブルフレームも記録されるので、１ＥＣＣブロック単位で信号の校正が行え、記録した光ディスク装置とは異なる光ディスク装置でデータを再生する時の互換性を保てる。
【００４７】
次に、光ディスクドライブにおいて、ＤＶＤとの互換性を考慮すると３２ＫＢの整数倍である事が望ましい。
例えば、１ＥＣＣブロック内の各データの量を決定するパラメータとして、Ｍ，Ｋ，Ｎ，Ｑ，Ｌの変数を使用したとき、リードソロモン符号語を構成するためには、１語が８ビットの場合、符号語長は２５５（＝２８−１）バイト以下でなければならないという制約条件があるため、実際には各パラメータの値は上記値が最適であり、１ＥＣＣブロックの情報データ量は４８ＫＢが最大である。
従って、１ＥＣＣブロックの情報データ量を３２ＫＢの整数倍にできないという問題がある。
【００４８】
ＤＶＤでは、データビット長が０．２６７μｍであるため、０．４μｍの長さで１．５ビットのデータを記録している。
これに対し、多値記録では、１シンボルを８値データ（３ビット）とし、０．４μｍの長さに記録するため、多値記録により記録密度を２倍（＝３ビット÷１．５ビット）に増加させているが、訂正できる最大バースト長がＤＶＤ（約６ｍｍ）よりも短いため、ＤＶＤよりも小さな傷等による欠陥に弱いという問題がある。
そこで、多値記録を用いて記録密度を増加させると共に、１ＥＣＣブロックの情報データ量をＤＶＤとの互換性を考慮した量とし、ＤＶＤよりも長いバーストエラーを訂正できる誤り訂正のデータ構成を具備した記録媒体にするとよい。
【００４９】
次に、この発明の請求項１０に係る記録媒体の第４実施形態を説明する。
第４実施形態の記録媒体は、ｍ（ｍ≧２である整数）個のｎ（ｎ≧３である整数）値の多値データを１セットとし、複数セットの多値データとその多値データをサンプリングするための多値データであるクロックマークデータと、所定量の多値データの区切りを示すための多値データであるフレームシンクデータとを含む複数の多値データを１フレームとし、１セット内の多値データを２値データに変換した時に１フレーム内の有効２値データがＪ（Ｊは自然数）ワードであり、Ｋ（Ｋは自然数）フレーム分からなるＪ×Ｋワードの２値データを、Ｊワードからなる内符号とＫワードからなる外符号からなる積符号による誤り訂正用のデータブロックであるＥＣＣブロックとするデータフォーマットを備えている。
【００５０】
図７は、この発明の第４実施形態の記録媒体のデータフォーマットにおけるフレームフォーマットを示す説明図である。
このフレームフォーマットは、多値データを光ディスクに記録する時のデータ構成に相当する。
ここでは、多値データを８値（０から７の値をとる）とし、１個の多値データをシンボルと呼ぶ。２値データに変換すると１シンボルは３ビットに相当する。同図中のクロックマーク及びフレームシンクのデータパターンの一例を以下に示す。
2004005949.tif 000005
【００５１】
この発明の第４実施形態の記録媒体のクロックマーク及びフレームシンクのデータを光ディスクに記録して再生した場合の再生信号の波形例は、上記図２と同じである。
クロックマークは多値データをサンプリングする時の基準点を示すデータであり、同図に示すように、クロックマークの中央の「７」の信号のボトムが基準になる。図示を省略するが、この記録媒体に対する情報の記録及び再生を行う情報記録再生装置（光ディスクドライブ）のＰＬＬ回路で周期的に存在するクロックマークのボトムに同期したクロックを生成して、クロックマークの間にある多値データをサンプリングする。
【００５２】
あるいは、再生信号をＡ／Ｄ（アナログ／デジタル）変換し、デジタル信号処理によって連続する２個のクロックマークのボトムを検出し、その間にある多値データを等間隔でサンプリングしてもよい。
ここでは、クロックマークから始まる５９シンボルの一区切りのデータをクラスタと呼ぶ。
【００５３】
フレームシンクの最後の２シンボルデータで、フレーム内のデータが多値データ検出時に使用するパターンテーブル作成用の既知データかユーザデータ（情報データ）かを識別する。その各々を「テーブルフレーム」「データフレーム」と呼ぶ。
パターンテーブル作成用の既知データは、５１４シンボルの８値データを１まとまりになっており、ここでは、このデータ系列を２回分記録する。
その時、５１４シンボルの最後の２シンボルは最初の２シンボルと同じであるため、２回分記録する時は、５１４シンボル×２回−２シンボル＝１０２６シンボルのデータ系列になる。
【００５４】
以下にフレーム内の有効多値データ量を示す。
〔データ量〕
（１）テーブルフレーム
３８シンボル＋（５４−２）シンボル×１９クラスタ＝１０２６シンボル
テーブルデータは、８値データが３個連続する時の全組合せ（８×８×８＝５１２通り）を１回のみ含むランダムなデータ系列であるが、途中にクロックマークが挿入されて分断されると、分断後は２シンボル重複する必要がある。
したがって、テーブルデータ量の計算としては、２〜２０クラスタではデータ数を２シンボル減らしている。
【００５５】
（２）データフレーム
３８シンボル＋５４シンボル×１９クラスタ＝１０６４シンボル
多値データは、公知の変調方法（Ｒｉｃｏｈ　Ｔｅｃｈｎｉｃａｌ　Ｒｅｐｏｒｔ　Ｎｏ．２８　Ｐ．３４〜Ｐ．４１を参照）を採用し、４シンボルの多値データを１セットとして記録する。すなわち、各シンボルの上位２ビット×４シンボル＝８ビットに任意の２値データを配置し、下位１ビット×４シンボル＝４ビットに、任意の２値データ３ビットを４ビットに変換した２値データを配置する。つまり、１１ビットの任意の２値データが、１２ビットに変換されて１セットを構成する。したがって、１セット内の有効２値データは１１ビットである。
データフレームにおける多値データは１０６４シンボルであり、次式で示すように１フレームには２６６セットが含まれる。
１０６４シンボル÷４シンボル＝２６６セット
【００５６】
次に、第４実施形態の記録媒体のＥＣＣブロックフォーマットについて説明する。図８は、第４実施形態の記録媒体の複数のデータフレーム内の有効２値データによるＥＣＣブロックフォーマットを示す説明図である。
ここでは、誤り訂正の語長を１１ビットとしている。
したがって、１１ビットの２値データを１ワードとしている。
例えば、１語（ワード）が８ビットの場合、符号語長は２５５（＝２８−１）バイト（＝ワード）が最大であるが、ここでは、２０４７（＝２１１−１）ワードが最大となる。
【００５７】
同図に示すように、データフレームにおける１セット内の１１ビットの有効２値データを１ワードとし、１フレーム内の２６６ワードの２値データを横１行に配置し、２２４フレーム分を１ＥＣＣブロックとしている。
また、図中にデータ記録再生方向として矢示するように、記録媒体（光ディスク）へのデータの記録再生は行（横）方向の順序で行う。
さらに、行（横）方向に内符号ＲＳ（２６６，２５６，１１）による１０ワードのＰＩパリティデータを配置し、列（縦）方向に外符号はＲＳ（２２４，１９２，３３）による３２ワードのＰＯパリティデータを配置している。
【００５８】
そして、行方向のＰＩパリティデータを除く２５６ワードはバイト数で表すと３５２バイトであり、これを８ワード（＝１１バイト）単位で３２分割し、行方向の１１バイト×１９２フレームで１セクタとしている。
その結果、１ＥＣＣブロックは３２セクタを含む。１セクタのデータ量は、１１バイト×１９２フレーム＝２１１２バイトである。
その内、２０４８バイト（２ＫＢ）がユーザデータであり、残りの６４バイトは、セクタ番号や著作権を管理するための情報及びセクタ内データのエラー検査用データ等である。
したがって、１ＥＣＣブロックには、２ＫＢ×３２セクタ＝６４ＫＢのユーザデータを含む。
【００５９】
この第４実施形態の記録媒体では、列（縦）方向に３２ワードのパリティデータがあるので、公知従来の「イレージャー訂正」方式を用いれば、３２フレーム分のバーストエラーを訂正することができる。
１フレームの多値データ数は、図７に示すように、５９シンボル×２０クラスタ＝１１８０シンボルである。
一例として、ブルーレーザダイオードを使用し、線密度をＤＶＤの２倍にした場合と比較して、訂正可能なバーストエラー長を試算する。
ＤＶＤと比較する場合は、０．４μｍの長さに１シンボルの多値データを記録していたので、線密度を２倍にすると０．２μｍの長さに１シンボルの多値データを記録することになる。
したがって、３２フレームの長さは、０．２μｍ×１１８０シンボル×３２フレーム＝７．６ｍｍとなり、ＤＶＤと同等以上の長さのバーストエラーを訂正することができる。
【００６０】
この発明の請求項１０に係る記録媒体では、記録媒体に多値データをフレーム単位で記録し、積符号の内符号をフレーム内の有効２値データ数（Ｊ）で構成し、外符号をフレーム数（Ｋ）の２値データで構成して、記録媒体に多値データを記録し、誤り訂正を２値データで行うための効率の良いデータ構成にしている。このように、記録媒体に多値データをセットから構成されるフレーム単位で記録し、フレーム内の有効２値データ数（Ｊ＝２６６ワード）とフレーム数（Ｋ＝２２４フレーム）からＥＣＣブロックを構成しているので、多値データを２値データに変換する際に、無駄なデータが発生しない効率の良いデータ構成にすることができる。
【００６１】
次に、この発明の請求項１１に係る記録媒体のフォーマットでは、１ＥＣＣブロック内のパリティデータを除くデータを所定量毎に分割してセクタとし、その各セクタにセクタ番号を示すデータが含まれるようにする。
上述のように、１セクタ内のユーザデータが２ＫＢであり、更に残りの６４バイトにはセクタ番号等を含み、１ＥＣＣブロック内に３２セクタを含んでいる。このように、１ＥＣＣブロックの情報データをセクタに分割しているので、１６セクタからなるＤＶＤのデータ構成との互換性をとり易くすることができる。
【００６２】
次に、この発明の請求項１２に係る記録媒体のフォーマットでは、既知の多値データを含むフレームと未知の多値データを含むフレームとを識別するための多値データをフレーム内に含み、既知の多値データを含むフレームを所定間隔で挿入する。
記録媒体（光ディスク）に多値データを記録した時に、記録材料のばらつき等によって光ディスク上の再生位置で再生信号が変動することがある。
既知データが記録してあるテーブルフレームのデータは、その変動を校正するための基準データとして使用できる。
そこで、データ再生時の定期的な信号校正を行うために、テーブルフレームを光ディスク上の内周，中周，外周、或いは数トラック毎、又は１トラック毎等の所定の間隔で挿入すると、再生データの信頼性が向上する。
このように、多値データの検出に必要な既知データと、ＥＣＣブロックのデータ（未知データ）とを識別するための多値データをフレーム内に含んでいるので、フレーム単位で効率的に区別することができる。
【００６３】
次に、この発明の請求項１３に係る記録媒体のフォーマットでは、上記所定間隔を複数のＥＣＣブロックの間隔にする。
複数のＥＣＣブロック単位で挿入すれば校正の頻度が上がり、更に信頼性が向上する。また、ＥＣＣブロック検出時にセクタ番号による検出と並行して、テーブルフレームによるＥＣＣブロックの区切りを２重に確認することができ、ＥＣＣブロックの誤検出による再生データのエラーを低減することができる。
このように、既知の多値データを含むフレームを複数のＥＣＣブロックの間隔で挿入しているので、既知データとＥＣＣブロックとを、複数のＥＣＣブロック単位で効率的に区別することができる。
【００６４】
次に、この発明の請求項１４に係る記録媒体のフォーマットでは、上記所定間隔を１ＥＣＣブロックの間隔にする。
１ＥＣＣブロック毎にテーブルフレームを挿入すると、更に校正の頻度が上がり、テーブルフレームによる１ＥＣＣブロックの検出もできるので、１ＥＣＣブロック単位の区切りを２重に確認することができ、更にＥＣＣブロックの誤検出による再生データのエラーを低減することができる。
このように、既知の多値データを含むフレームを１ＥＣＣブロックの間隔で挿入しているので、既知データとＥＣＣブロックとをＥＣＣブロック単位で効率的に区別することができる。
【００６５】
次に、この発明の請求項１５に係る記録媒体のフォーマットでは、上記ＥＣＣブロック内の１ワードのデータビット数を１セット内の有効データビット数と同一にする。
上述のように、ＥＣＣブロック内の１ワードのデータビット数が１セット内の有効データビット数と同一であるため、フレームデータから２値データを抽出してＥＣＣブロック用のデータに変換する時、セット単位で１ワードのデータを出力できるので、変換回路を簡素化することができる。
【００６６】
さらに、１セット内の有効データビット数を誤り訂正の１ワードとしているので、記録媒体上のランダム誤りが変換の関係で２ワード誤りになることが無く、効率の良いフォーマットにすることができる。
このように、１セット分の多値データにおける有効データビット数を、誤り訂正を行う時の語長（１ワードのビット数）と同一にしているので、記録する多値データと誤り訂正を行う時の２値データとの変換処理効率を良くすることができる。
【００６７】
次に、この発明の請求項１６に係る記録媒体のフォーマットでは、上記ＥＣＣブロック内の１ワードのデータビット数を１１ビットにする。
上記ＥＣＣブロック内の１ワードのデータビット数を１１ビットとし、８ビットよりも大きい値にしているので、符号語長を更に長くでき、１ＥＣＣブロックを構成するデータ量を更に増加することができる。
その結果、１ＥＣＣブロック内のユーザデータ量を６４ＫＢ以外の３２ＫＢの整数倍にもすることができ、より長いバーストエラーを訂正できるデータ構成も可能である。
このように、上記語長（１ワードのビット数）を１１ビットとすることにより、８ビットとするよりも１ＥＣＣブロック内のデータ量を増加することができ、ＤＶＤとの互換性をとり易くすることができ、更に長いバーストエラーに対しても訂正可能にすることができる。
【００６８】
次に、この発明の請求項１７に係る記録媒体のフォーマットでは、上記フレーム内のＪワードのデータが全てパリティデータであるフレームを１ＥＣＣブロック内で分散して配置する。
上述したＥＣＣブロックフォーマットでは、ＰＯパリティを含むフレームがＥＣＣブロックの下方に集中しているが、実際に光ディスクなどに記録する時は、これを分散して配置してもよい。
【００６９】
図９は、この発明の請求項１７に係る記録媒体のＥＣＣブロックフォーマットを示す説明図である。
同図に示すように、ＰＯパリティを含む３２フレームを１フレームずつに分け、セクタデータを構成する１９２フレームを３２分割した６フレーム毎に挿入している。このようにすれば、光ディスク上の傷や汚れによるデータエラーが分散され、再生データの信頼性が向上する。
このように、データが全てパリティデータであるフレームを１ＥＣＣブロック内で分散して配置することにより、光ディスク上の傷や汚れによるデータエラーを分散し、再生データの信頼性を向上させることができる。
【００７０】
次に、この発明の請求項１８に係る記録媒体のフォーマットでは、上記既知の多値データを含むフレームと上記１ＥＣＣブロックとを情報の追記又は書換えの１単位にする。
１ＥＣＣブロック毎にテーブルフレームを挿入した場合、１ＥＣＣブロックとテーブルフレームとをデータの追記や書換えの情報の１単位とすると良い。
このようにして、１枚の光ディスクに複数台の光ディスクドライブ（光ディスク装置）で１ＥＣＣブロック単位でデータを記録した時、テーブルフレームも記録されるので、１ＥＣＣブロック単位で既知の多値データによる信号の校正が行え、記録した光ディスク装置とは異なる光ディスク装置でデータを再生する時の互換性を保持することができる。
【００７１】
次に、この発明の請求項１９に係る記録媒体のフォーマットでは、上記１ＥＣＣブロック内のセクタのデータを外符号の方向に記録する。
上述のように従来のＤＶＤのデータフォーマットとは異なり、セクタデータを外符号の方向、つまり列（縦）方向に記録しているので、バーストエラーが発生してもセクタ内の多くのデータがエラーになることを防ぐことができる。
【００７２】
次に、この発明の請求項２０に係る記録媒体のフォーマットでは、上記１ＥＣＣブロック内の内符号データを斜めの方向にインターリーブして配置する。
図１０は、この発明の請求項２０に係る記録媒体のＥＣＣブロックフォーマットを示す説明図である。
上述の説明では、積符号の内符号方向を行方向、つまりデータ記録再生方向と同じにしているが、これを同図中に示す内符号方向のように斜めにしてもよい。このように、ＥＣＣブロック内の内符号のデータを斜めの方向にインターリーブして配置することにより、データ記録再生方向に発生するバーストエラーを分散し、内符号による誤り訂正能力を向上させることができる。
【００７３】
次に、この発明の請求項２１に係る記録媒体のフォーマットでは、上記セクタ番号を外符号の方向に記録する。
各セクタを識別するためのセクタ番号等のデータは、光ディスク上のデータをアクセスする時に最初に読み取る重要なデータであるため、エラーの発生を特に防ぐ必要がある。
図１１は、この発明の請求項２１係る記録媒体の各セクタ内におけるセクタ番号の記録位置の例を示す説明図である。
ここでは、一例として、セクタ番号やセクタに関する情報及びそれらの誤り検出符号を６バイトで表す場合を示した。
各セクタにおいて、ＰＯパリティを含むフレームで分割された１区画に縦方向（外符号の方向）に６バイトのデータを配置する。
このように、セクタ番号を外符号の方向に記録することにより、データ記録再生方向に発生するバーストエラーによってセクタ番号等のエラーを低減することができる。
【００７４】
次に、この発明の請求項２２に係る記録媒体のフォーマットでは、上記セクタ番号をセクタ毎の異なる位置に記録する。
図１１に示すように、セクタ番号を含む６バイトのデータを各セクタ毎に異なる区画に配置している。
このように、セクタ番号をセクタ毎の異なる位置に記録することにより、バーストエラーによって複数のセクタ番号を含むデータが同時にエラーになることを防ぐことができる。
【００７５】
【発明の効果】
以上説明してきたように、この発明の記録媒体によれば、ＤＶＤよりもフォーマット効率が高く、多値データの記録再生に適したデータフォーマットにすることができる。
【図面の簡単な説明】
【図１】この発明の第１実施形態の記録媒体のデータフォーマットにおけるフレームフォーマットを示す説明図である。
【図２】この発明の第１実施形態の記録媒体のクロックマーク及びフレームシンクのデータを光ディスクに記録して再生した場合の再生信号の波形を示す図である。
【図３】この発明の第１実施形態の記録媒体のＥＣＣブロックフォーマットを示す説明図である。
【図４】この発明の第２実施形態の記録媒体のＥＣＣブロックフォーマットを示す説明図である。
【図５】この発明の第３実施形態の記録媒体のフレームフォーマットを示す説明図である。
【図６】この発明の第３実施形態の記録媒体のＥＣＣブロックフォーマットを示す説明図である。
【図７】この発明の第４実施形態の記録媒体のデータフォーマットにおけるフレームフォーマットを示す説明図である。
【図８】この発明の第４実施形態の記録媒体の複数のデータフレーム内の有効２値データによるＥＣＣブロックフォーマットを示す説明図である。
【図９】この発明の請求項１７に係る記録媒体のＥＣＣブロックフォーマットを示す説明図である。
【図１０】この発明の請求項２０に係る記録媒体のＥＣＣブロックフォーマットを示す説明図である。
【図１１】この発明の請求項２１係る記録媒体の各セクタ内におけるセクタ番号の記録位置の例を示す説明図である。
【図１】
2004005949.tif 000006
【図２】
2004005949.tif 000007
【図３】
2004005949.tif 000008
【図４】
2004005949.tif 000009
【図５】
2004005949.tif 000010
【図６】
2004005949.tif 000011
【図７】
2004005949.tif 000012
【図８】
2004005949.tif 000013
【図９】
2004005949.tif 000014
【図１０】
2004005949.tif 000015
【図１１】
2004005949.tif 000016